(57)【要約】【課題】各家庭の調理場において、水切りゴミ収納器（三角水切りコーナー）を置く事によって損失している１０％〜２０％ほどの面積を回収し、限られたスペースの有効利用と同時に、清潔感を向上できる発明を提供する。【解決手段】現在使用されている一般的な水切りゴミ袋の片側のに撥水性を高めたシートを水切りゴミ袋に接合したものを用いる。収納器本体に固定装置を取り付けその部分より折り返して溜まった生ゴミの上に敷き新設スペースを形成する。生ゴミの上に敷かれた撥水加工や目的にあわせた加工などを施し収納器の上（内部）を調理中の油や食材汁などで汚れている調理器具の仮置きなどに有効利用する方法を使う。【選択図】図７
2010132459.tif 000002
【特許請求の範囲】
【請求項１】
調理場の水切りゴミ袋と水切りシートと収納器において、水切りゴミ袋を入れる収納器の開口部をカバーができるほどの大きさの水切りシート面に、撥水性を高めるなどの加工を施し生ゴミの上を有効利用するため形成部材として、水切りゴミ袋の上部に接合し、その袋の接合部付近に多目的固定装置（図４又は図の器具）のズレ止め防止器具に接続するための複数の穴と、その穴の付近に横方向の切れ込み、その横方向の両端部に縦方向の切れ込みが入っている、あるいはその横線と縦線で描かれた四角形の面部分を空洞化した、水切りゴミ袋。
【請求項２】
水切りゴミ袋と収納器本体を接続するズレ止め防止器具と、仮設スペースの形成器具として調理具の落下防止及び調理具ホルダー部を一体化したもので、現在各家庭で使用されている収納器本体に後付け接合できるもの。
【請求項３】
請求項１において、生ゴミに敷くために接合されている面は基本的には一枚のものだが（図６−Ｅ）のように、複数枚重ねる構造にする事で料理の段階別にそのつど新しいカバーとして提供し清潔感を向上させた構造。
【請求項４】
請求項１の水切りゴミ袋において、水きり袋と切り離した形成部材面だけで使用したもの。
【請求項５】
水切り収納器の生ゴミの上を有効利用するための形成部材の一部として、収納器の上部の縁に調理具のホルダーや調理具の落下防止ガイドとする目的での形状加工を施した水切りゴミ収納器本体。（使用する調理具の限定で形状が変化するので図面無し）
【発明の詳細な説明】
【技術分野】
【０００１】本発明は各家庭における調理場で、主に使用される生ゴミ収納器内に用いる水切りゴミ袋と収納器に関するものである。
【背景技術】
【０００２】先行技術調査を行った結果、特開平０９−００２６０２、特開２００５−２１３０２３、特開平１０−０３５８０３、実開昭５８−１８７５０３、いずれも参考との結果であった。従来、水切りゴミ収納器に溜まったゴミの上を有効利用する様な水切りゴミ袋は、特許庁の電子図書館から参照しても意外にもなかったと思われる。
【発明の開示】
【発明が解決しようとする課題】
【０００３】本発明の目的は、家庭における調理場の清潔感の向上となおかつせまい調理場スペースを有効に使用するために役立つ水切りゴミ袋と収納器を提供する事である。
【問題を解決するための手段】
【０００４】本発明は、各家庭における調理場に使用される生ゴミ収納器の設置に損失しているスペースを水切りゴミ袋の片側の面に特殊加工を施した水切りシートを接合し（即ちカバー兼調理具の置き場となる面）を折り返して土台がわりに生ゴミの入った収納器内部（上部）の有効利用できるスペースを形成するものである。
【発明の実施形態】
【０００５】以下本発明について詳細を説明する。
本発明は一般的に使用されている水切りゴミ袋をベースに改良を加えたものと、水切りゴミ収納器本体に取り付けるズレ止め防止器具と仮設スペース形成器具を一体させた固定用装置、又は製造加工時に水切りゴミ収納器に固定装置が取り付けられたものとから構成されている。
【０００６】水切りゴミ袋はポリエスチル、神パルプフィルター、塩化ビニールなど多数の材質で造られており、この発明において材質には限定はない事とする。
【０００７】本発明、調理場を広く使える水切りゴミ袋は、今まで使用されてきた水切りゴミ袋の対称に合わせた面の片側に、目的にあわせた加工を施した水切りシートを形成部材として水切りゴミ袋に接合したものを用いる。また、水切りゴミ収納器本体に取り付けた固定装置（ズレ止め防止器具  図２−▲２▼又は図５−▲２▼）とは、袋の素材がとても柔らかいものが多いことから必要になるものである。  水切りゴミ袋の長く延長されている形成部材（即ちカバー兼用の調理具置き場となる面）の折り返す部分を固定することによって、カバー作業を保護し利便性を向上させるものである
【０００８】また袋の脱着も簡単に行える形状が要求される事から今回（図４）の形状を説明モデルとしたが、とにかく薄く柔らかい水切りゴミ袋をこのような方法で固定し、その部分から折り返して溜まった生ゴミを隠すカバーとする。
【０００９】さらにカバーされた水切りゴミ収納器の上部を、調理中の油や食材汁などがついたサエバシ、包丁などの調理具を仮置するなどのスペースとして有効利用できるものにかえてしまうものである。
【００１０】また、水切りゴミ収納器に調理具を刈り置きに調理具についている汚れを洗い流したりするためにカバー面に穴をあけたり、抗菌処理をほどこしたり、堆肥化を促進したり、エネルギー変換を促進できる加工面など必要に応じたものに合わせられるようカバーの表面加工はいろいろな処理によって必要性を高められる水切りゴミ袋である。
【００１１】また、（図６のＥ）のようにカバー面を複数重ねて調理段階でゴミが出たらそのつど新しい面をカバーにする場合もある。
【００１２】次に水切りゴミ袋を水切り収納器に入れ、溜まった生ゴミにカバーをする際、折り目の部分を固定するためのズレ止め防止器具について説明する。このズレ止め防止器具（図４  ▲２▼又は図５）を各家庭で現在使用しているもの、また市販されている水切り収納器にワンタッチ、又は簡単に取り付けられる方法を用いて、水切り収納器本体上部に取り付ける（図２−▲２▼参照）
【００１３】ズレ止め器具（図４−▲２▼Ｂ）部は、水切りゴミ袋の固定用の穴に合わせ入れ込まれる部分であるが、固定方法の詳細として水切りゴミ袋（図１−▲３▼Ａ）の固定用の穴の径よりも、ズレ止め防止器具の突起部の最大径が大きいものとして、突起部形状、寸法など限定のないものである。
【００１４】それから、この水切りゴミ袋用ズレ止め器具が、水切り収納器本体の製造加工段階で取り付けられた製品に関しても発明の一部とする。
【００１５】以上の様な方法と形状をしている水切りゴミ袋の使用手順に入る。
【００１６】本発明の使用手順として、まず使用される水切りゴミ収納器本体へ水切りゴミ袋用ズレ止め器具（図４−▲２▼又は図５）を取り付ける。  そして従来の水切りゴミ袋同様に広げて水切り収納器の中に入れる。  水切りゴミ袋の折り返す部分付近にあけてある穴（図１−▲３▼Ａ）の中で（高さ、深さ）寸法の合う穴を選び、ズレ止め器具の突起部分に合わせ込む。（図２−▲２▼参照）  寸法の長いカバー面は、水切り収納器の上部で折り返し下に垂らし｛垂らした下部はデザイン等から特定は出来ないが今回のズレ止め器具を流用するなどして、簡単に固定した方が好ましいと思われる。又、水切り収納器本体に溝を入れて垂らした水切りゴミ袋の下部を入れ込むなどいろいろな方法が想定できる。｝
【００１７】多目的固定装置を（図５）を使用する場合、袋を入れる前に使用するガイド等を予めセットアップしておき袋をセットするもので、形成部材面にガイド部のにがし穴が必要とされる。
【００１８】この多目的固定装置は（図４−▲２▼）を軸にリング外周部に複数の調理具ホルダーや落下防止ガイド等を取り付けスライド機構から都度選び、生ゴミの上を利用するための形成器具としたものであり、袋の固定と併用できるものである。
【００１９】ズレ止め防止器具（図４−２）を使用する場合は、請求項５によって有効利用スペースが形成されるため、新たにこの収納器を購入しなければならないものである。
【００２０】寸法の短い面は従来どうり水切り収納器上部にくくりつけ準備が完了となる。生ゴミが溜まったらカバーをめくり上げ生ゴミの上にかける。  かけた後はその上部スペースに汚れた調理具などの置き場として、またその上で洗浄できるカバー面などにしたりすることで利用目的が増えるとも思われる。
【発明の効果】
【００２１】以外にも調理中に油や調理汁などがついた調理具を置く場所にとまどう事が少なくなかったかと思われる問題点の解決。
限られた調理場（流し）スペースの中で生ゴミ収納器に１０％〜２０％損失していた面積を回収し、生ゴミの多く出る人数の多い家庭などでは、大型の収納器を使う事も可能になる。
更に収納器の生ゴミが外から見えずらく清潔感の向上、また生ゴミを資源としての認識を促しエコ社会への貢献につながる可能性を多分に秘めている事。
【産業上の利用可能性】
【００２２】水切りゴミ袋としての利用効果が従来よりも２項目向上した点に、注目したいと思う。
【図面の簡単な説明】
【００２３】
【図１】請求項１に記載の形成部材面と水切り袋の総体図
【図２】水切り収納器に袋をセットした正面図
【図３】ズレ止め防止器具に袋をセットした側面図
【図４】水切りゴミ袋用ズレ止め防止器具の形状をあらわしたもの
【図５】ズレ止め防止器具に仮設スペース形成器具部を複合した多目的固定装置（ズレ止め防止器具を軸に回転スライドし複数のガイド等が選べる。）
【図６】水切りゴミ袋のカバー部を複数に重ねた側面図
【図７】多目的固定装置のガイド部をセットアップした側面図
【符号の説明】
【００２４】１  水切りゴミ収納器本体
２  水切りゴミ袋用ズレ止め防止器具
２Ａ  水切りゴミ収納器本体への取り付け面
２Ｂ  水切りゴミ袋の穴に合わせ込む部分
３  水切りゴミ袋と形成部材面の接合図
３Ａ  収納器本体に取り付けたズレ止め防止器具に固定する穴
３Ｂ  形成部材面と水切りゴミ袋の接合部の説明図
３Ｃ  撥水効果を高めた形成部材面
Ｄ  −−−−−−−−は切れ込み線
Ｅ  形成部材面を複数に重ねたイメージ図
Ｆ  多目的固定装置の側面図
Ｆ１  ズレ止め防止器具を軸にした回転リング
Ｆ２  調理具ホルダーとしての形成器具
Ｆ３  落下防止ガイドとしての形成器具
【図１】
2010132459.tif 000003
【図２】
2010132459.tif 000004
【図３】
2010132459.tif 000005
【図４】
2010132459.tif 000006
【図５】
2010132459.tif 000007
【図６】
2010132459.tif 000008
【図７】
2010132459.tif 000009
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
調理場の水切りゴミ袋と水切りシートと収納器において、水切りゴミ袋を入れる収納器の開口部をカバーができるほどの大きさの水切りシート面に、撥水性を高めるなどの加工を施し生ゴミの上を有効利用するための形成部材として、水切りゴミ袋の上部に接合し、その袋と形成部材面の接合部付近に多目的固定装置とした器具（図５、または図４）のズレ止め防止器具に接続するための複数の穴と、その穴の付近に横方向の切れ込み、その横方向の切れ込みの両端部に縦方向の切れ込みが入っている、あるいはその横線と縦線で描かれた四角形の面部分を空洞化した、水切りゴミ袋。（図１参照）
【請求項２】
水切りゴミ袋と収納器本体を接続するズレ止め防止器具において、仮設スペースの形成器具とした調理具の落下防止及び調理具ホルダー部とを、ズレ止め防止器具の突起部を軸に一体化したもの、またはズレ止め固定器具本体に取り付け一体化された、収納器本体に後付け接合できる仮設スペース形成を目的とした器具。（図５参照）
【請求項３】
請求項１において、生ゴミに敷くために接合されている面は基本的には一枚のものだが（図６−Ｅ）のように、複数枚重ね、料理段階に都度新しい面を供給できる水切りゴミ袋。
【請求項４】
請求項１の水切りゴミ袋において、水きり袋と切り離した形成部材面だけで使用した仮設スペース形成に関わる方法。
【請求項５】
水切り収納器の生ゴミの上を有効利用するための形成部材の一部として、収納器の上部の縁に調理具のホルダーや調理具の落下防止ガイドとする目的での形状加工を施した水切りゴミ収納器本体。（使用する調理具の限定で形状が変化するので図面なし）
【手続補正２】
【補正対象書類名】明細書
【補正対象項目名】全文
【補正方法】変更
【補正の内容】
【発明の詳細な説明】
【技術分野】
【０００１】本発明は各家庭における調理場で、主に使用される生ゴミ収納器内に用いる水切りゴミ袋と収納器に関するものである。
【背景技術】
【０００２】先行技術調査を行った結果、特開平０９−００２６０２、特開２００５−２１３０２３、特開平１０−０３５８０３、実開昭５８−１８７５０３、いずれも参考との結果であった。従来、水切りゴミ収納器に溜まったゴミの上を有効利用する様な水切りゴミ袋は、特許庁の電子図書館から参照しても意外にもなかったと思われる。
【発明の開示】
【発明が解決しようとする課題】
【０００３】本発明の目的は、家庭における調理場の清潔感の向上となおかつせまい調理場スペースを有効に使用するために役立つ水切りゴミ袋と収納器を提供する事である。
【問題を解決するための手段】
【０００４】本発明は、各家庭における調理場に使用される生ゴミ収納器の設置に損失しているスペースを、水切りゴミ袋の片側の面に特殊加工を施した水切りシートを接合し（即ちカバー兼調理具の置き場となる面）を折り返して土台として生ゴミの入った収納器内部（上部）の有効利用できるスペースを形成するものである。
【発明の実施形態】
【０００５】以下本発明について詳細を説明する。
本発明は一般的に使用されている水切りゴミ袋をベースに改良を加えたものと、水切りゴミ収納器本体に取り付けるズレ止め防止器具と仮設スペース形成器具を一体させた固定用装置、又は製造加工時に水切りゴミ収納器に固定装置及び、調理具ホルダー等が取り付けられたものとから構成されている。
【０００６】水切りゴミ袋はポリエスチル、紙パルプフィルター、塩化ビニールなど多数の材質で造られており、この発明において材質には限定はない事とする。
【０００７】本発明、調理場を広く使える水切りゴミ袋及び収納器は、今まで使用されてきた水切りゴミ袋の対称に合わせた面の片側に、目的にあわせた加工を施した水切りシートを形成部材として水切りゴミ袋に接合したものを用いる。また、水切りゴミ収納器本体に取り付けた固定装置（ズレ止め防止器具図２−２又は図５−２）とは、袋の素材がとても柔らかいものが多いことから必要になるものである。
【０００８】水切りゴミ袋の長く延長されている形成部材（即ちカバー兼用の調理具置き場となる面）の折り返す部分を固定することによって、カバー作業を保護し利便性を向上させるものである。
【０００９】さらにカバーされた水切りゴミ収納器の上部を、調理中の油や食材汁などがついたサエバシ、包丁などの調理具を仮置するなどのスペースとして有効利用できるものにかえてしまうものである。
【００１０】また、水切りゴミ収納器に調理具を仮置きの際に調理具についている汚れを洗い流したりするためにカバー面に穴をあけたり、抗菌処理をほどこしたり、堆肥化を促進したり、エネルギー変換を促進できる加工面など必要に応じたものに合わせられるようカバーの表面加工はいろいろな処理によって必要性を高められる水切りゴミ袋である。
【００１１】また、（図６のＥ）のようにカバー面を複数重ねて調理段階でゴミが出たらそのつど新しい面を供給する構造も選べるとする。
【００１２】次に水切りゴミ袋を水切り収納器に入れ、溜まった生ゴミにカバーをする際、折り目の部分を固定するためのズレ止め防止器具について説明する。このズレ止め防止器具（図４−２又は図５）を各家庭で現在使用しているもの、また市販されている水切り収納器にワンタッチ、又は簡単に取り付けられる方法を用いて、水切り収納器本体上部に取り付ける（図２−２参照）
【００１３】ズレ止め器具（図４−２Ｂ）部は、水切りゴミ袋の固定用の穴に合わせ入れ込まれる部分であるが、固定方法の詳細として水切りゴミ袋（図１−３Ａ）の固定用の穴の径よりも、ズレ止め防止器具の突起部の最大径が大きいものとして、突起部形状、寸法など限定のないものである。
【００１４】それから、この水切りゴミ袋用ズレ止め器具及び調理具の落下防止器具や調理具ホルダーが、水切り収納器本体の製造加工段階で取り付けられた製品に関しても発明の一部とする。
【００１５】以上の様な方法と形状をしている水切りゴミ袋の使用手順に入る。
【００１６】本発明の使用手順として、まず使用される水切りゴミ収納器本体へ水切りゴミ袋用ズレ止め器具（図４−２又は図５）を付ける。  そして従来の水切りゴミ袋同様に広げて水切り収納器の中に入れる。  水切りゴミ袋の折り返す部分付近にあけてある穴（図１−３Ａの中で（高さ、深さ）寸法の合う穴を選び、ズレ止め器具の突起部分に合わせ込む。（図２−２参照）  仮設スペース形成部となる面は、水切り収納器の上部で折り返し下に垂らし｛垂らした下はデザイン等から特定は出来ないが今回のズレ止め器具を流用するなどして簡単に固定した方が好ましいと思われる。又、水切り収納器本体に溝を入れて垂らした水ゴミ袋の下部を入れ込むなどいろいろな方法が想定できる。｝
【００１７】多目的固定装置を（図５）を使用する場合、袋を入れる前に使用するガイド等を予めセットアップしておき袋をセットするもので、形成部材面にガイド部のにがし穴が必要とされる。
【００１８】この多目的固定装置は（図４−２）を軸にリング外周部に複数の調理具ホルダーや落下防止ガイド等を取り付けスライド機構から都度選び、生ゴミの上を利用するための形成器具としたものであり、袋の固定と併用できるものである。
【００１９】ズレ止め防止器具（図４−２）を使用する場合は、請求項５によって有効利用スペースが形成されるため、収納器上部に落下防止や調理具ホルダーの目的とした加工の施された、収納器を用いなくてはならないものである。
【００２０】寸法の短い面は従来どうり水切り収納器上部にくくりつけ準備が完了となる。生ゴミが溜まったらカバーをめくり上げ生ゴミの上にかける。  かけた後はその上部スペースに汚れた調理具などの置き場として、またその上で洗浄できるカバー面などにしたりすることで利用目的が増えるとも思われる。
【発明の効果】
【００２１】以外にも調理中に油や調理汁などがついた調理具を置く場所にとまどう事が少なくなかったかと思われる問題点の解決。
限られた調理場（流し）スペースの中で生ゴミ収納器に１０％〜２０％損失していた面積を回収し、生ゴミの多く出る人数の多い家庭などでは、大型の収納器を使う事も可能になる。
更に収納器の生ゴミが外から見えずらく清潔感の向上、また生ゴミを資源としての認識を促しエコ社会への貢献につながる可能性を多分に秘めている事。
【産業上の利用可能性】
【００２２】限られた調理場スペースを簡単に有効利用できることに注目したい。
【図面の簡単な説明】
【００２３】
【図１】請求項１に記載の形成部材面と水切り袋の総体図
【図２】水切り収納器に袋をセットした正面図
【図３】ズレ止め防止器具に袋をセットした側面図
【図４】水切りゴミ袋用ズレ止め防止器具の形状をあらわしたもの
【図５】ズレ止め防止器具に仮設スペース形成器具部を複合した多目的固定装置（ズレ止め防止器具を軸に回転スライドし複数のガイド等が選べる。）
【図６】水切りゴミ袋のカバー部を複数に重ねた側面図
【図７】多目的固定装置のガイド部をセットアップした側面図
【符号の説明】１  水切りゴミ収納器本体
２  水切りゴミ袋用ズレ止め防止器具
２Ａ  水切りゴミ収納器本体への取り付け面
２Ｂ  水切りゴミ袋の穴に合わせ込む部分
３  水切りゴミ袋と形成部材面の接合図
３Ａ  収納器本体に取り付けたズレ止め防止器具に固定する穴
３Ｂ  形成部材面と水切りゴミ袋の接合部の説明図
３Ｃ  撥水効果を高めた形成部材面
Ｄ  ‥‥‥‥は切れ込み線
Ｅ  形成部材面を複数に重ねたイメージ図
Ｆ  多目的固定装置の側面図
Ｆ１  ズレ止め防止器具を軸にした回転リング
Ｆ２  調理具ホルダーとしての形成器具イメージ図
Ｆ３  落下防止ガイドとしての形成器具イメージ図